(57)【要約】【課題】作業効率を向上できるボルト箱保持具を提供すること。【解決手段】ボルト箱保持具１は、ボルトが収容された直方体形状のボルト箱１０を保持する。このボルト箱保持具１は、ボルト箱１０の４つの側面および底面を覆う袋状の袋部材２０と、この袋部材２０の上端側に設けられた一対の把持部３０と、を備える。袋部材２０は、ボルト箱１０の４つの側面を巻く環状の側面保持部２１と、ボルト箱１０の底面を跨いで両端で側面保持部２１に連結された帯状の底面保持部２２と、ボルト箱１０の側面保持部２１より底面側で、かつ、底面保持部２２以外の部分を覆う網状の網状部２３と、を備える。【選択図】図１
2013103763.tif 000002
【特許請求の範囲】
【請求項１】
ボルトが収容された直方体形状のボルト箱を保持するボルト箱保持具であって、
前記ボルト箱の４つの側面および底面を覆う袋状の袋部材と、
当該袋部材の上端側に設けられた一対の把持部と、を備え、
前記袋部材は、前記４つの側面を巻く環状の側面保持部と、
前記底面を跨いで両端で前記側面保持部に連結された帯状の底面保持部と、
前記側面保持部より底面側で、かつ、少なくとも前記底面保持部以外の部分を覆う網状の網状部と、を備えることを特徴とするボルト箱保持具。
【請求項２】
前記袋部材の底面には、磁石が設けられていることを特徴とする請求項１に記載のボルト箱保持具。
【請求項３】
前記袋部材は、前記ボルト箱の上面を跨いで両端で前記側面保持部に連結された帯状の上面保持部をさらに備えることを特徴とする請求項１または２に記載のボルト箱保持具。
【請求項４】
前記ボルト箱の側面上部には、ボルトの種類が表示された表示領域が設けられており、
前記袋部材は、前記ボルト箱の表示領域よりも下側を覆うことを特徴とする請求項１から３のいずれかに記載のボルト箱保持具。
【請求項５】
前記ボルト箱の上面は、開閉可能な蓋であり、
前記一対の把持部のそれぞれには、前記ボルト箱の蓋を挟持可能な挟持部が設けられることを特徴とする請求項１から４のいずれかに記載のボルト箱保持具。
【発明の詳細な説明】
【技術分野】
【０００１】
本発明は、ボルト箱保持具に関する。詳しくは、ボルトが収容された直方体形状のボルト箱を保持するボルト箱保持具に関する。
【背景技術】
【０００２】
従来より、鉄骨建方工事では、鉄骨梁や鉄骨柱などの鉄骨部材をクレーンで建方フロアに揚重して、ボルトで接合することが行われている。この場合、ボルトを布袋に収納しておき、この布袋を鉄骨の端部やクレーンのフックに連結して、鉄骨梁とともに建方フロアに揚重している（特許文献１参照）。
【先行技術文献】
【特許文献】
【０００３】
【特許文献１】特開２００１−２８８８９８号公報
【発明の概要】
【発明が解決しようとする課題】
【０００４】
ところで、上述のボルトは、ボルト箱に梱包された状態で現場に搬入される。そのため、地上にてボルト箱を開封し、ボルト箱の中からボルトを取り出して布袋に移し替える作業が必要である。よって、この移し替え作業に時間がかかってしまい、作業効率が低下する、という問題があった。
【０００５】
本発明は、作業効率を向上できるボルト箱保持具を提供することを目的とする。
【課題を解決するための手段】
【０００６】
請求項１に記載のボルト箱保持具は、ボルトが収容された直方体形状のボルト箱を保持するボルト箱保持具であって、前記ボルト箱の４つの側面および底面を覆う袋状の袋部材と、当該袋部材の上端側に設けられた一対の把持部と、を備え、前記袋部材は、前記４つの側面を巻く環状の側面保持部と、前記底面を跨いで両端で前記側面保持部に連結された帯状の底面保持部と、前記側面保持部より底面側で、かつ、少なくとも前記底面保持部以外の部分を覆う網状の網状部と、を備えることを特徴とする。
【０００７】
この発明によれば、ボルトが梱包されたボルト箱を袋部材に収容し、一対の把持部を把持するだけで、ボルト箱を梱包状態で運搬できる。よって、従来のようにボルト箱からボルトを取り出して移し替える必要がなく、作業効率を向上できる。
また、袋部材でボルト箱の４つの側面および底面を覆っているので、ボルト箱が型崩れしても、ボルトが落下するのを防止できる。
【０００８】
また、側面保持部、底面保持部、および網状部で袋部材を構成したので、ボルト箱保持具が簡単な構成となり、ボルト箱保持具を容易に製作できる。
【０００９】
請求項２に記載のボルト箱保持具は、前記袋部材の底面には、磁石が設けられていることを特徴とする。
【００１０】
この発明によれば、袋部材の底面に磁石を設けたので、鉄骨建方の際に、鉄骨梁の上にボルト箱保持具を載せても、ボルト箱が強風に煽られて落下するのを防止できる。
【００１１】
請求項３に記載のボルト箱保持具は、前記袋部材は、前記ボルト箱の上面を跨いで両端で前記側面保持部に連結された帯状の上面保持部をさらに備えることを特徴とする。
【００１２】
この発明によれば、上面保持部を設けたので、ボルト箱が袋部材から脱落するのを防止できる。
【００１３】
請求項４に記載のボルト箱保持具は、前記ボルト箱の側面上部には、ボルトの種類が表示された表示領域が設けられており、前記袋部材は、前記ボルト箱の表示領域よりも下側を覆うことを特徴とする。
【００１４】
この発明によれば、袋部材によりボルト箱の表示領域よりも下側を覆ったので、ボルトの種類を容易に確認でき、作業効率がさらに向上する。
【００１５】
請求項５に記載のボルト箱保持具は、前記ボルト箱の上面は、開閉可能な蓋であり、前記一対の把持部のそれぞれには、前記ボルト箱の蓋を挟持可能な挟持部が設けられることを特徴とする。
【００１６】
この発明によれば、ボルト箱の蓋を挟持可能な挟持部を把持部に設けたので、挟持部で蓋を挟み込むことで、ボルト箱の蓋を開いた状態で維持できるから、鉄骨部材にボルト取り付ける際の作業効率を向上できる。
【発明の効果】
【００１７】
本発明によれば、ボルトが梱包されたボルト箱を袋部材に収容し、一対の把持部を把持するだけで、ボルト箱を梱包状態で運搬できる。よって、従来のようにボルト箱からボルトを取り出して移し替える必要がなく、作業効率を向上できる。また、袋部材でボルト箱の４つの側面および底面を覆っているので、ボルト箱が型崩れしても、ボルトが落下するのを防止できる。また、側面保持部、底面保持部、および網状部で袋部材を構成したので、ボルト箱保持具が簡単な構成となり、ボルト箱保持具を容易に製作できる。
【図面の簡単な説明】
【００１８】
【図１】本発明の第１実施形態に係るボルト箱保持具の斜視図である。
【図２】前記実施形態に係るボルト箱保持具の側面保持部および底面保持部の構造を示す斜視図である。
【図３】前記実施形態に係るボルト箱保持具の使用方法を説明するための斜視図である。
【図４】本発明の第２実施形態に係るボルト箱保持具の斜視図である。
【発明を実施するための形態】
【００１９】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係るボルト箱保持具１の斜視図である。
ボルト箱保持具１は、直方体形状のボルト箱１０を保持するものである。
このボルト箱１０は、同一サイズのボルト１３が複数収容されたダンボール製の箱である（図３参照）。このボルト箱１０の側面には、ボルトサイズおよびロット番号が表示された表示領域１１が設けられている。このボルト箱１０の上面は、開閉可能な蓋１２となっている。また、このボルト箱１０は、梱包帯１４により梱包状態が保持されている。
【００２０】
ボルト箱保持具１は、ボルト箱１０の４つの側面および底面を覆う袋状の袋部材２０と、この袋部材２０の上端側にボルト箱１０の上面を挟んで設けられた一対の把持部３０と、を備える。
【００２１】
袋部材２０は、ボルト箱１０の４つの側面を巻く環状の側面保持部２１と、ボルト箱１０の底面を跨いで両端で側面保持部２１に連結された３本の帯状の底面保持部２２と、ボルト箱１０の側面保持部２１より底面側で、かつ、底面保持部２２以外の部分を覆う網状の網状部２３と、ボルト箱１０の上面を跨いで両端で側面保持部２１に連結された帯状の上面保持部２４と、を備える。
【００２２】
側面保持部２１は、例えばナイロンベルトであり、ボルト箱１０の表示領域１１よりも下側に設けられている。これにより、袋部材２０は、ボルト箱１０の表示領域１１よりも下側を覆うことになり、この表示領域１１は外部に露出している。
【００２３】
上面保持部２４は、例えばナイロンベルトであり、一端が側面保持部２１に固定され、他端が側面保持部２１に着脱可能な面ファスナーとなっている。
【００２４】
図２は、ボルト箱保持具１の側面保持部２１および底面保持部２２の構造を示す斜視図であり、理解の容易のため、網状部２３および上面保持部２４の表示を省略している。
３本の底面保持部２２は、例えばナイロンベルトであり、これら３本の底面保持部２２のうちの１本は、ボルト箱１０の底面の長さ方向に沿って延びており、残る２本は、ボルト箱１０の底面の幅方向に沿って延びている。ボルト箱１０の底面の長さ方向に沿って延びる底面保持部２２には、２箇所に強力磁石２２１が設けられている。
【００２５】
一対の把持部３０は、それぞれ、略Ｕ字形状の帯状であり、この把持部３０の両端部は、側面保持部２１に連結されている。
【００２６】
以上のボルト箱保持具１の使用方法は、以下のようになる。
鉄骨建方工事の際、ボルト箱１０をボルト箱保持具１の袋部材２０に収容し、建方フロアに運搬する。具体的には、ボルト箱保持具１を鉄骨梁の端部やクレーンのフックに連結して、鉄骨梁とともに建方フロアに直接揚重してもよいし、クレーンやリフトで建方フロアの近傍まで運搬して集積しておき、必要に応じて人手で建方フロアに小運搬してもよい。
建方フロアに運搬した後、図３に示すように、このボルト箱保持具１を建方フロアの鉄骨梁４０の上に載せて、強力磁石２２１の磁力でボルト箱保持具１を鉄骨梁４０に吸着させる。次に、梱包帯１４を残したままでボルト箱１０の一部を破いて開封する。この状態でボルト箱１０からボルト１３を取り出して、鉄骨梁や鉄骨柱などの鉄骨部材の接合部にボルトを取り付ける。
【００２７】
本実施形態によれば、以下のような効果がある。
（１）ボルト１３が梱包されたボルト箱１０を袋部材２０に収容し、一対の把持部３０を把持するだけで、ボルト箱１０を梱包状態で運搬できる。よって、従来のようにボルト箱からボルトを取り出して移し替える必要がなく、作業効率を向上できる。
また、人手により上下階に小運搬する際、人から人への受け渡しを容易かつ確実に行えるようになり、安全性が向上する。
【００２８】
また、袋部材２０でボルト箱１０の４つの側面および底面を覆っているので、ボルト箱１０が型崩れしても、ボルト１３が落下するのを防止できる。
また、側面保持部２１、底面保持部２２、および網状部２３で袋部材２０を構成したので、ボルト箱保持具１が簡単な構成となり、ボルト箱保持具１を容易に製作できる。
【００２９】
（２）袋部材２０によりボルト箱１０の表示領域１１よりも下側を覆ったので、ボルトの種類を容易に確認でき、作業効率がさらに向上する。
【００３０】
（３）袋部材２０の底面に強力磁石２２１を設けたので、鉄骨建方の際に、鉄骨梁４０の上にボルト箱保持具１を載せても、ボルト箱１０が強風に煽られて落下するのを防止できる。
【００３１】
（４）上面保持部２４を設けたので、ボルト箱１０が袋部材２０から脱落するのを防止できる。
【００３２】
〔第２実施形態〕
図４は、本発明の第２実施形態に係るボルト箱保持具１Ａの斜視図である。
本実施形態では、上面保持部２４が設けられておらず、挟持部３１が設けられている点が、第１実施形態と異なる。
すなわち、一対の把持部３０のそれぞれには、ボルト箱１０の蓋１２を挟み込んで挟持可能な挟持部３１が２箇所に設けられる。
【００３３】
以上のボルト箱保持具１Ａを使用する場合には、図４に示すように、梱包帯１４を切断してボルト箱１０の蓋１２を開き、この蓋１２を挟持部３１で挟み込んで、ボルト箱１０を開いた状態とする。この状態でボルト箱１０からボルト１３を取り出して、鉄骨梁や鉄骨柱などの鉄骨部材の接合部にボルトを取り付ける。
【００３４】
本実施形態によれば、上述の（１）〜（３）の効果に加えて、以下のような効果がある。
（５）ボルト箱１０の蓋１２を挟持可能な挟持部３１を把持部３０に設けたので、挟持部３１で蓋１２を挟み込むことで、ボルト箱１０の蓋１２を開いた状態で維持できるから、鉄骨部材にボルト取り付ける際の作業効率を向上できる。
【００３５】
なお、本発明は前記実施形態に限定されるものではなく、本発明の目的を達成できる範囲での変形、改良等は本発明に含まれるものである。
【符号の説明】
【００３６】
１、１Ａ…ボルト箱保持具
１０…ボルト箱
１１…表示領域
１２…蓋
１３…ボルト
１４…梱包帯
２０…袋部材
２１…側面保持部
２２…底面保持部
２３…網状部
２４…上面保持部
３０…把持部
３１…挟持部
４０…鉄骨梁
２２１…強力磁石
【図１】
2013103763.tif 000003
【図２】
2013103763.tif 000004
【図３】
2013103763.tif 000005
【図４】
2013103763.tif 000006